(57)【要約】本発明は、無線インターネット上でキーワードネームを利用して位置関連情報を提供するシステム及びその方法に関するものである。本発明では、使用者端末機から提供されたキーワードネームが移動通信網を通じて伝送されれば、移動通信網に使用者の位置情報を要請し、移動通信網から提供される位置情報と前記キーワードネームとに基づいて、インターネットアドレスを探す。その後、前記インターネットアドレスを有するコンテンツ提供サーバーからコンテンツの提供を受けて前記使用者端末機に伝送し、この時、コンテンツの形式が使用者端末機が処理できる形式でない場合には、前記コンテンツを前記使用者端末機が処理できる形式に変換した後で前記使用者端末機に提供する。本発明によれば、使用者が別途に特定位置を指定しなくても、自動的に使用者の位置を把握して、使用者の現在位置に応じた適切なウェッブページに接続することができ、互いに異なる言語を支援する無線インターネット環境でも、別途にネットワークの構成を変更しなくても、容易にコンテンツを提供することができる。【選択図】図２
2005502135.tif 000002
【特許請求の範囲】
【請求項１】
ネットワークを通じて複数のコンテンツ提供サーバーに連結されており、移動通信網を通じて使用者端末機から提供されるキーワードネームを処理する位置関連情報提供システムにおいて、
ネットワーク上のインターネットアドレス、そしてキーワードネーム、及び位置情報が互いに対応して保存されているキーワードネームデータベース；
前記使用者端末機から提供されたキーワードネームが前記移動通信網を通じて伝送されれば、前記移動通信網に使用者の位置情報を要請する処理サーバー；
前記移動通信網から提供される使用者の位置情報と前記キーワードネームとに基づいて、前記キーワードネームデータベースを検索し、インターネットアドレスを探して前記処理サーバーに提供するキーワードネームサーバー；を含み、
前記処理サーバーは、前記インターネットアドレスを有するコンテンツ提供サーバーからコンテンツの提供を受け、前記使用者端末機に提供することを特徴とする、位置関連情報提供システム。
【請求項２】
前記処理サーバーは、
前記インターネットアドレスを有するコンテンツ提供サーバーにコンテンツを要請し、提供されるコンテンツを受信するコンテンツ要請部；
前記コンテンツを前記使用者端末機が処理できる形式に変換した後で前記移動通信網に提供し、当該コンテンツが前記使用者端末機に伝送されるようにするコンテンツ変換部；を含む、請求項１に記載の位置関連情報提供システム。
【請求項３】
前記コンテンツ変換部は、前記コンテンツ提供サーバーから提供されたコンテンツの形式が前記使用者端末機で処理できる形式と一致しているか否かを判断し、互いの形式が一致しない場合には、前記コンテンツを前記使用者端末機が処理できる形式に変換することを特徴とする、請求項１に記載の位置関連情報提供システム。
【請求項４】
前記移動通信網は、処理サーバーからの位置情報の要請によって前記使用者端末機の位置を測定し、当該位置情報を前記処理サーバーに提供することを特徴とする、請求項１に記載の位置関連情報提供システム。
【請求項５】
前記使用者端末機から提供されるキーワードネームを保安処理して前記処理サーバーに提供するプロキシサーバーをさらに含み、
前記処理サーバーは、前記移動通信網から提供されるキーワードネームが前記プロキシサーバーを通じて入力されない場合には、前記移動通信網にエラーメッセージを伝送し、前記使用者端末機が前記プロキシサーバーを通じてキーワードネームを入力するようにすることを特徴とする、請求項１に記載の位置関連情報提供システム。
【請求項６】
前記キーワードネームは、ハングルであることを特徴とする、請求項１に記載の位置関連情報提供システム。
【請求項７】
移動通信網を通じて使用者端末機に連結されているシステムにおけるキーワードネームを利用した位置関連情報提供方法において、
前記使用者端末機から提供されたキーワードネームが前記移動通信網を通じて伝送されれば、前記移動通信網に使用者の位置情報を要請する段階；
前記移動通信網から提供される使用者の位置情報と前記キーワードネームとに基づいて、キーワードネームデータベースを検索し、インターネットアドレスを探す段階；及び
前記インターネットアドレスを有するコンテンツ提供サーバーからコンテンツの提供を受け、前記使用者端末機に伝送する段階；を含む、位置関連情報提供方法。
【請求項８】
前記提供されたコンテンツの形式が前記使用者端末機で処理できる形式と一致しているか否かを判断する段階；
前記形式が一致しない場合には、前記コンテンツを前記使用者端末機が処理できる形式に変換した後で前記使用者端末機に提供する段階；及び
前記形式が一致する場合には、前記コンテンツを変換しないで使用者端末機に提供する段階；をさらに含む、請求項７に記載の位置関連情報提供方法。
【請求項９】
前記使用者端末機から提供されるキーワードネームが前記システム内に設置されたプロキシサーバーを通じて入力されたか否かを判断する段階；及び
前記キーワードネームが前記プロキシサーバーを通じて入力されない場合には、前記移動通信網にエラーメッセージを伝送し、前記使用者端末機が前記プロキシサーバーを通じてキーワードネームを入力するようにする段階；をさらに含む、請求項７に記載の位置関連情報提供方法。
【発明の詳細な説明】
【技術分野】
【０００１】
本発明は、キーワードネームを利用した位置関連情報提供システム及びその方法に係り、より詳細には、互いに異なる言語を使用する無線ネットワーク上でキーワードネームを利用して使用者の現在位置に関する情報を提供するシステム及びその方法に関するものである。
【背景技術】
【０００２】
急激なネットワーク関連技術の発展にともない、インターネット（internet）という巨大なネットワーク網を通じて全世界の人が様々な情報を共有するようになった。
インターネットを通じて、情報伝送型サービス、検索型サービス、情報提供型サービス、及び対話型サービスなど、様々な形態のサービスが提供されており、このようなサービスの中でも情報提供型サービスは、ウィンドウ形式でハイパーテキスト型情報を提供するアプリケーションサービスが主に利用されている。情報提供型サービスでは、テキスト文字列が、別途のテキストやファイル、画像、動画像、音声などにリンクされており、利用者が各々のテキスト文字列をクリックすると、より詳細な情報を示す当該テキストやファイル、画像などを利用者のコンピュータなどに提供する。
【０００３】
最近は、移動通信のサービス伝送速度が有線速度に追いつき、このようなサービスが無線インターネットを通じて行われている。使用者は、移動電話、ＰＤＡ（個人携帯情報端末機）、ノートブックなどの無線端末機と移動ネットワークとを利用して情報提供サイトに接近し、情報/財貨/サービスの提供を受けたり取引をする。
【０００４】
しかし、このように特定の情報を得るためには、多数の段階（接続、メニュー選択、キーワード入力など）を経なければならないため、使用者が迅速に所望の情報を得るのが難しく、手続も複雑であるという短所がある。
また、サービスを提供するインターネット上の特定のシステムに接続するためには、当該ドメインネームを知っていなければならず、このようなドメインネームは、一定の規則によるアルファベットの組み合わせから作られているため、韓国、日本、中国など非英語圏国家の国民は英語圏国家の国民に比べて相対的にドメインネームを暗記するのが難しく、特に、無線端末機上でドメインネームを入力するのは容易でなく、ドメインネーム及びファイルネームの入力にも多くの時間がかかる短所がある。
【０００５】
このような短所を解決するために、無線インターネット上で特定のシステムに接続するためのメニューを提供して、無線端末機の使用者が別途にドメインネームを入力しないでも当該メニューを選択すればインターネット上の特定のシステムに接続されるサービスが行われているが、このようなサービスは、端末機が加入している移動通信事業者網と業務を提携しているシステムだけに限定される短所がある。
【０００６】
一方、無線インターネット上でデータサービスを支援する方法としては、ＷＡＰやＭＥがあり、その他にも日本で用いられているｉ−Ｍｏｄｅなどがある。
ＷＡＰ（Wireless  Application  Protocol）は、携帯電話やポケベルなどのような無線端末機がＥメール、ウェッブ、ニュースグループなどのインターネットアクセスに使用される方法を標準化した通信プロトコルの規格であり、ＷＭＬ（Wireless  Markup  Language）言語を使用してデータを提供する。
【０００７】
ＭＥ（Mobile  Explorer）は、マイクロソフト社が去る１９９９年末に自主開発した無線インターネットブラウザーであって、ＷＡＰ、ＨＤＭＬ（Handheld  Device  Markup  Language）などの標準とは異なり、既存のＨＴＭＬ（Hyper  Text  Markup  Language）コンテンツを使用することができるように開発されたものであって、互換性が高い。ＷＡＰは、ＨＴＭＬコンテンツを無線インターネット環境に合うように変換するためにＷＡＰゲートウェイが必要であるが、ＭＥ基盤のコンテンツはその必要がない。
【０００８】
ｉ−Ｍｏｄｅは、日本の無線技術大手であるＮＴＴ  ＤｏＣｏＭｏ社が提供するパケット基盤の移動電話サービスである。無線業界の大部分の主要企業とは異なり、ｉ−Ｍｏｄｅは、意図的にＷＡＰの使用を避け、ＷＡＰのＷＭＬの代りにＨＴＭＬを簡略化したバージョンであるといえるＣＷＭＬ（Compact  Wireless  Markup  Language）を使用する。
【０００９】
最近では、このような無線インターネットデータサービス環境で、使用者の位置に基づいて位置関連情報を提供するサービスが行われているが、このようなサービスは、当該言語でだけサービスができるように限定されている。したがって、互いに異なる言語を支援する端末機を有する使用者にはサービスが提供されない。
【００１０】
また、このような無線インターネットデータサービス環境では、データ伝送のための保安性が要求されている。具体的に、使用者端末機がＷＡＰを使用する場合、使用者、移動通信事業者網、そしてコンテンツ提供者の間には深刻な保安の問題が発生する。金融サービスや電子商取引のように保安が重要なサービスの場合、クライアントとサーバーとの間には保安設定が必要である。この時、クライアントとゲートウェイとの間ではＷＴＬＳ（Wireless  Transport  Layer  Security）を、ゲートウェイとサーバーとの間ではＳＳＬ（Secure  Sockets  Layer）を使用して保安機能を行うため、ゲートウェイがクライアントとサーバーとの間の保安設定を（のぞき）見ることができる。これは、ＷＡＰコンテンツを提供するサービス事業者が信頼できない領域にゲートウェイが設置されている場合には非常に深刻な問題となる。
【発明の開示】
【発明が解決しようとする課題】
【００１１】
したがって、本発明は、従来の問題点を解決するためのものであって、本発明が目的とする技術的課題は、無線インターネットを通じて情報の提供を受けようとする場合に、当該ウェッブページへの接続などの手続きを経なくても、実際に探そうとする位置関連情報をキーワードネームで入力するようにして、使用者が容易で迅速に探そうとする様々な位置関連情報の提供を受けるようにすることにある。
【００１２】
また、本発明が目的とする他の技術的課題は、互いに異なる言語を提供する無線インターネットサービス環境下でも使用者の位置関連情報の提供を受けるようにすることにある。
また、本発明が目的とする他の技術的課題は、無線インターネット環境下でデータが安全に伝送できるようにすることにある。
【課題を解決するための手段】
【００１３】
このような技術的課題を達成するための本発明の特徴によるキーワードネームを利用した位置関連情報提供システムは、ネットワークを通じて複数のコンテンツ提供サーバーに連結されており、移動通信網を通じて使用者端末機から提供されるキーワードネームを処理する位置関連情報提供システムにおいて、ネットワーク上のインターネットアドレス、そしてキーワードネーム、及び位置情報が互いに対応して保存されているキーワードネームデータベース；前記使用者端末機から提供されたキーワードネームが前記移動通信網を通じて伝送されれば、前記移動通信網に使用者の位置情報を要請する処理サーバー；前記移動通信網から提供される使用者の位置情報と前記キーワードネームとに基づいて、前記キーワードネームデータベースを検索し、インターネットアドレスを探して前記処理サーバーに提供するキーワードネームサーバー；を含み、前記処理サーバーは、前記インターネットアドレスを有するコンテンツ提供サーバーからコンテンツの提供を受け、前記使用者端末機に提供する。
【００１４】
前記処理サーバーは、前記インターネットアドレスを有するコンテンツ提供サーバーにコンテンツを要請し、提供されるコンテンツを受信するコンテンツ要請部；前記コンテンツを前記使用者端末機が処理できる形式に変換した後で前記移動通信網に提供し、当該コンテンツが前記使用者端末機に伝送されるようにするコンテンツ変換部；を含むことができる。
【００１５】
また、前記コンテンツ変換部は、前記コンテンツ提供サーバーから提供されたコンテンツの形式が前記使用者端末機が処理できる形式と一致しているか否かを判断し、互いの形式が一致しない場合には、前記コンテンツを前記使用者端末機が処理できる形式に変換する。
【００１６】
一方、前記移動通信網は、処理サーバーからの位置情報の要請によって前記使用者端末機の位置を測定し、当該位置情報を前記処理サーバーに提供する。
その他にも、本発明の特徴による位置関連情報提供システムは、前記使用者端末機から提供されるキーワードネームを保安処理して前記処理サーバーに提供するプロキシサーバーをさらに含むことができ、この時、処理サーバーは、前記移動通信網から提供されるキーワードネームが前記プロキシサーバーを通じて入力されない場合には、前記移動通信網にエラーメッセージを伝送し、前記使用者端末機が前記プロキシサーバーを通じてキーワードネームを入力するようにする。
【００１７】
本発明の他の特徴によるキーワードネームを利用した位置関連情報提供方法は、ネットワークを通じて複数のコンテンツ提供サーバーに連結されており、移動通信網を通じて使用者端末機から提供されるキーワードネームを利用して位置関連情報を提供する方法であって、前記使用者端末機から提供されたキーワードネームが前記移動通信網を通じて伝送されれば、前記移動通信網に使用者の位置情報を要請する段階；前記移動通信網から提供される使用者の位置情報と前記キーワードネームとに基づいて、キーワードネームデータベースを検索し、インターネットアドレスを探す段階；及び前記インターネットアドレスを有するコンテンツ提供サーバーからコンテンツの提供を受け、前記使用者端末機に伝送する段階；を含む。
【００１８】
また、前記提供されたコンテンツの形式が前記使用者端末機で処理できる形式と一致しているか否かを判断する段階；前記形式が一致しない場合には、前記コンテンツを前記使用者端末機が処理できる形式に変換した後で前記使用者端末機に提供する段階；及び前記形式が一致する場合には、前記コンテンツを変換しないで使用者端末機に提供する段階；をさらに含むことができる。
【００１９】
その他にも、情報の保安のために、前記使用者端末機から提供されるキーワードネームが前記システム内に設置されたプロキシサーバーを通じて入力されたか否かを判断する段階；前記キーワードネームが前記プロキシサーバーを通じて入力されない場合には、前記移動通信網にエラーメッセージを伝送し、前記使用者端末機が前記プロキシサーバーを通じてキーワードネームを入力するようにする段階；をさらに含むことができる。
【発明の効果】
【００２０】
本発明の実施例による位置関連情報提供システムでは、ネットワークを通じて位置関連情報を探そうとする場合に、当該ウェッブページへの接続などの手続きを経ないでも、実際に接続しようとするウェッブページに関するキーワードネームを入力するようにするので、容易で迅速に使用者が当該ウェッブページに接続できる。
【００２１】
特に、別途に使用者が特定の位置を指定しないでも、自動的に使用者の位置を把握して使用者の現在位置に応じて適切なウェッブページに接続することができるようにする。
また、コンテンツ提供者から提供されたコンテンツを使用者端末機が処理できるように選択的に変換することにより、互いに異なる言語を支援する無線インターネット環境でも別途にネットワークの構成を変更しないで容易にコンテンツを提供することができる。
【００２２】
本発明を利用して移動通信網の使用者の現在位置を把握することができれば、使用者の現在位置に基づいて１種以上の言語を自動翻訳して支援する位置基盤キーワードネーム検索サービスが可能である。例えば、現在‘城北区’にいる使用者が端末機に“区役所”と入力すれば、使用者端末機に城北区役所のホームページが現れるようにすることができる。現在提供されているサービスは、ＷＡＰ、ＭＥ、又はｉ−Ｍｏｄｅで使用される各々の独立した言語を使用しているので異なる種類の言語からなるコンテンツを要求する場合には応答することができないが、本発明の実施例によれば、２種の言語の自動翻訳を支援する位置基盤ハングルキーワードドメイン検索サービスを利用することにより、互いに異なる言語を使用する端末機とサーバーとの間の通信が可能になる。つまり、ＷＡＰ端末機を有する利用者が“区役所”と入力すると、ＷＡＰで使用するＷＭＬで要請された後、サーバーからＷＭＬからなる文書の提供だけが受けられるのではなく、ｉ−Ｍｏｄｅの言語であるＣ−ＨＴＭＬやＭＥの言語であるｍ−ＨＴＭＬからなるコンテンツの提供を受けることもできる。
【００２３】
また、無線インターネット環境下でも情報を安全で信頼性のある状態で提供するので、保安性を向上させることができる。
【発明を実施するための最良の形態】
【００２４】
以下、本発明の属する技術分野における通常の知識を有する者が本発明を容易に実施することができる最も好ましい実施例を、添付した図面を参照して詳細に説明する。
本発明の実施例では、位置基盤キーワードネーム（特に、ハングルキーワードドメイン）サービスを提供する。位置基盤キーワードネームサービスは、移動通信網から提供される位置基盤サービス（Location  Based  Services  ：ＬＢＳ）とハングルキーワードドメイン検索サービスとを結合したサービスである。ＬＢＳは、様々な位置決定アルゴリズム（Location  Determination  Algorithm：ＬＤＡ）を利用して算出された加入者の位置による地理関連サービスを提供するものであって、旅行情報サービス、ホテル/飲食店探索サービス、位置探知サービスなどがこれに属し、その他にも、救急呼出を要請する移動通信網の加入者の位置を把握して、危機状況から加入者を効果的に助ける移動通信サービスである無線Ｅ９１１サービスも、広い意味ではＬＢＳに属する。
【００２５】
図１ａ及び図１ｂに、本発明の実施例による位置基盤キーワードネームサービスを実施するための位置関連情報提供システムの概念が示されている。
本発明の実施例によるキーワードネームを利用した位置関連情報提供システムを実現するために、図１ａに示されたようなネットワークの構成を実現する。無線端末使用者がサービスを利用するためには、図１ａ及び図１ｂに示されているように、まず、サービスを受けている移動通信網を用いて情報提供システムのウェッブページに接続し、情報提供システムの当該ウェッブページは、移動通信網にあるゲートウェイで無線端末機が処理できる文書形式に転換された後で、使用者端末機に伝送される。その後、使用者が情報提供システムを利用してハングルキーワードネームを質疑すれば、情報提供システムは、移動通信網から使用者の位置情報の提供を受け、使用者の位置に基づいて他のウェッブページに接続できるようにする。
【００２６】
本発明の実施例による情報提供システムは、使用者の位置情報を移動通信網に質疑し、情報を持ってくるＬＩＲ（Location  Information  Requester）モジュールと、ＨＴＴＰコンテンツ提供者に質疑し、コンテンツを受信することができるＨＴＴＰクライアントモジュール、そして受信したコンテンツを使用者に適切なコンテンツに変換するコンテンツ変換モジュールなどを含むことができる。
【００２７】
次に、このような概念に基づいて、本発明の実施例によるキーワードネームを利用した情報提供システムの構造及び動作について、具体的に説明する。
図２に、本発明の実施例によるキーワードネームを利用した位置関連情報提供システムの構造が示されている。
【００２８】
添付した図２に示されているように、本発明の実施例によるキーワードネームを利用した位置関連情報提供システム（以下、情報提供システムという）は、移動通信網２０を通じて複数の使用者端末機３０に連結されており、また、インターネット４０（ヒューチャーネットワーク含み）を通じて複数のコンテンツ提供サーバー５０〜５ｎに連結されている。
【００２９】
使用者端末機３０は、移動通信網２０に接続して提供されるデータを受信及び処理することができる無線端末機であるが、これに限定されない。
移動通信網２０は、使用者端末機３０からのデータサービスの要請を情報提供システム１０に提供して処理させ、情報提供システム１０の要請に応じて使用者の位置情報を測定して提供する。具体的に、移動通信網２０は、当該セル内の移動通信端末機、つまり使用者端末機から送信される信号を受信する基地局２１、基地局２１から出力される信号によって当該移動通信端末機の位置を把握し、該当する位置情報を情報提供システム１０に提供する制御機２３、及び基地局２１と制御機２３との間での信号の送受信を行う交換機２２などを含む。
【００３０】
制御機２３は、使用者端末機３０から提供されるキーワードネームを情報提供システム１０に質疑し、測定された使用者の位置情報を情報提供システム１０に提供して、使用者端末機３０が使用者の位置情報によってキーワードネームに該当する適当なウェッブページに接続されるようにする。また、制御機２３は、無線インターネットサービス環境によってコンテンツを処理して使用者端末機３０に提供するようにする。例えば、ＷＡＰ基盤で無線インターネットサービスを提供する場合には、自身のネットワーク構造にＷＡＰゲートウェイを設置して、インターネット上のコンテンツ提供者（コンテンツ提供サーバー）から提供されるＨＴＭＬ形式のコンテンツを使用者端末機３０が処理できるＷＭＬコンテンツに変換して使用者に提供する。
【００３１】
使用者の位置情報を測定する方法は、大きく２種類に分類される。まず、ＣＤＭＡ移動通信網を利用するネットワーク基盤ソリューション（network-based  solution）があり、その他の方法としてＧＰＳ（Gobal  Position  System）受信機やＧＰＳ受信機が内蔵された３Ｇ端末機を利用して使用者の位置を把握するハンドセット基盤ソリューション（handset-based  solution）がある。
【００３２】
ＣＤＭＡ移動通信網に基づいて使用者の位置を測定する方法としては、基地局（BS：Base  Station）から移動端末（MS：Mobile  Station）に送った信号を受信し、信号の強さを統計的な確率分布と対照して位置を測定する方法と、基地局から移動端末に送った信号のＡＯＡ（Angle  of  Arrival）を測定して移動端末の位置を測定する方向検出システム（direction  finding  system）、そして電波伝達時間を測定して位置を測定するＴＯＡ（Time  of  Arrival）方法などがある。その他にも、二つの基地局からの電波到達時刻の相対的な差を利用するＴＤＯＡ（Time  Difference  of  Arrival）方法のように、移動端末と基地局との距離を利用して位置を測定する方法（ranging  position  location  system）がある。
【００３３】
ＣＤＭＡ移動通信網に基づいて使用者の位置を測定する方法は、別途の装置なしで容易に使用者の位置を測定することができる長所があるが、正確な使用者の位置を把握するのが難しい短所があり、反面、ＧＰＳに基づく方法は、使用者の正確な位置把握が可能であり、これにより精密なサービスの提供が可能になる長所があるが、別途のＧＰＳ受信機を用いたりＧＰＳ受信機を内蔵した３Ｇ端末機を用いなければならない短所がある。
【００３４】
このような様々な方法を使用して使用者の位置を測定することができ、特に、本発明の実施例による位置関連情報提供システムでは、移動中の使用者の大まかな位置、つまりセル単位の位置のみを把握するだけでも充分であるので、ＧＰＳ基盤の位置測定技術の代わりにＣＤＭＡ移動通信網基盤の位置測定技術を使用してもよい。
【００３５】
一方、本発明の実施例による情報提供システム１０は、このような移動通信網２０を通じて接続する使用者端末機３０がキーワードネームに該当する特定のウェッブページに接続されるようにし、特に、使用者の位置情報に基づいてキーワードネームに該当するウェッブページを選択する。その他にも、位置情報に基づいてキーワードネームに該当する地域情報を提供することができる。
【００３６】
このために、使用者の位置関連情報を提供するのに必要な複数の情報が保存されているキーワードネームデータベース１３、地域情報データベース１４、このようなデータベース１３、１４に保存された情報に基づいて、使用者端末機３０に位置情報によるキーワードネームのウェッブページ接続サービスを提供する処理サーバー１１、及びキーワードネームサーバー１２を含む。
【００３７】
地域情報データベース１４には、本発明の実施例によるキーワードネームに対応する複数の情報が地域別に保存されている。例えば“洞役場”というキーワードネームに対応して、駅三洞、石村洞、新沙洞などの各地域別に各地域に属する洞役場に対する複数の情報（位置情報、紹介など）が保存されている。また、“ピザ”というキーワードネームに対応して、駅三洞、石村洞、新沙洞などの各地域別にピザを配達する宅配店に対する複数の情報が保存されている。
【００３８】
キーワードネームデータベース１３には、インターネット上の全てのＩＰアドレスに対応して少なくとも一つ以上のキーワードネームが保存されており、その他にも各々のキーワードネームに対応してＵＲＬ情報が保存されている。例えば、“２１０.１０３.１７５.６６”のＩＰアドレスに対応して“ネットピア”というキーワードネームが保存されており、“ネットピア”に対応して“netpia.net”というＵＲＬ情報が保存されている。
【００３９】
特に、本発明の実施例では、使用者の位置情報によって地域的特性を含むキーワードネームに該当するウェッブページに自動接続することができるように、キーワードネームと使用者の位置情報とに対応してＩＰアドレス又はＵＲＬ情報が保存されている。例えば、“区役所（キーワードネーム）、江南区（使用者の位置情報）”に対応して“１２０.１３０.２８０.３３”というＩＰアドレスが対応して保存される。結果的に、“使用者の位置情報＋キーワードネーム”が一種のドメインネーム機能を行うことができるようにする。
【００４０】
また、キーワードネームデータベース１３には、このような地域的特性を含まないキーワードネームに対応してＩＰアドレス又はＵＲＬ情報が保存され、後述する実施例では、地域的特性を含むキーワードネームに基づいて位置関連情報を提供することについて説明する。
【００４１】
その他にも、本発明による位置関連情報提供サービスを受けることができる会員として加入している使用者に対する複数の情報が使用者別に保存されている会員情報データベースなどをさらに含むこともできる。
処理サーバー１１は、このようなデータベース１３、１４に保存されている情報に基づいて、使用者端末機３０にキーワードネームに該当する位置関連情報を提供し、使用者端末機３０がインターネット４０や移動通信網２０を通じてアクセスできるようにするウェッブ機能を行う。このような機能を行う処理サーバー１１は、サービス要請受信部１１１、位置情報要請部１１２、コンテンツ要請部１１３、及びコンテンツ変換部１１４を含む。
【００４２】
サービス要請受信部１１１は、移動通信網２０からサービスの要請を受信して処理し、具体的には、移動通信網２０から提供されるキーワードネームを含む質疑を受信して他の構成要素に伝送する機能を行い、また、このような要請を受けることができるウェッブページを含む。ウェッブページは、ＨＴＭＬ文書よりはＷＭＬ、Ｍ−ＨＴＭＬ、又はｃ-ＨＴＭＬ文書から作成されているのがより効率的である。
【００４３】
位置情報要請部１１２は、移動通信網２０からのサービスの要請がキーワードネームを含む場合に移動通信網２０に使用者の位置情報を要請し、受信した位置情報とキーワードネームとをキーワードネームサーバー１２に提供して、ウェッブページアドレスの検索が行われるようにする。
【００４４】
コンテンツ要請部１１３は、キーワードネームサーバー１２から提供される使用者の位置情報及びキーワードネームによるウェッブページアドレスに基づいて、当該ウェッブページに接続して、コンテンツを持ってくる機能を行う。情報提供システムの処理サーバーが、使用者が要請したウェッブページから直接コンテンツを持ってきて使用者に伝送する方式を使用しないためには、使用者に検索されたウェッブページアドレスだけを伝送して、使用者が直接当該ウェッブページに接続するようにする方法を使用したり、又は移動通信網にあるゲートウェイにウェッブページアドレスを伝送して、ゲートウェイが直接ウェッブコンテンツを持ってくるようにする方式を使用しなければならない。しかし、一番目の方式は、使用者端末機が直接接続しなければならないためサービスの質が落ち、二番目の方式は、移動通信網にあるゲートウェイを変更しなければならないため現実的に不可能である。したがって、本発明の実施例による情報提供システムでは、処理サーバーが使用者の位置情報及びキーワードネームに該当するウェッブページから直接コンテンツを持ってきて使用者に伝送するので、サービスの質がより向上し、このような情報提供サービスが移動通信網を変更せずに行われる。
【００４５】
コンテンツ変換部１１４は、使用者が要請したウェッブページの元来のコンテンツを使用者端末機が処理できるコンテンツに変換する機能を行う。移動通信網のゲートウェイがこのようなコンテンツの変換を行うようにすることもできるが、この場合は、ゲートウェイが理解できるコンテンツに無条件変換しなければならない問題点がある。例えば、使用者端末機はＭＥを使用し、使用者が要請したウェッブページはＷＭＬやｃ−ＨＴＭＬのコンテンツであると、現在のゲートウェイはＷＭＬ又はｃ−ＨＴＭＬのコンテンツをうまく理解することができずに情報を廃棄する場合が発生する。その反対の場合も同様である。したがって、本発明の実施例では、情報の損失なく使用者により向上したサービスを支援するために、コンテンツを情報提供システムで自主的に使用者が所望するコンテンツに変換した後で伝送する。
【００４６】
一方、キーワードネームサーバー１２は、使用者が入力したキーワードネームと移動通信網から提供された使用者の位置情報とを組み合わせて使用者が所望するウェッブページのアドレスを検索する。具体的に、キーワードネームサーバー１２は、処理サーバー１１の位置情報要請部１１２から提供されるキーワードネームと使用者の位置情報とに基づいて、キーワードネームデータベース１３を検索して該当するウェッブページのアドレスを探し、見つけたウェッブページアドレスを処理サーバー１１のコンテンツ要請部１１３に提供して、前述のようにコンテンツを持ってくるようにする。
【００４７】
このようにキーワードネームと使用者の位置情報とに基づいて、ウェッブページアドレスを検索する機能がキーワードネームサーバーで行われるようにすることができるが、これに限定されず、処理サーバーがこのような検索機能を行うこともできる。
ここで、各構成要素１２１〜１２４がウェッブサーバー１２内で作動するように図示されたが、これに限定されず、各々独立的なサーバーとして作動して当該機能を行うこともできる。
【００４８】
一方、コンテンツ提供サーバー５０〜５ｎは、インターネット４０に接続されて様々なコンテンツを提供し、特にＨＴＭＬ形式のコンテンツを提供する。
本発明の実施例によるキーワードネームは、インターネット上に登録されている全てのウェッブページアドレスに対応する自国語（ハングル、英語、英語以外の外国語）、又は数字、記号などから構成されるドメインネームであり、特に、会社名、商号名、又はサービス標などの実際の名称や地域的特性を含む“区役所”、“映画館”、“洞役場”などのネームを含む。
【００４９】
このような構造からなる本発明の実施例によるキーワードネームを利用した位置関連情報提供システムの動作を詳細に説明する。
図３に、本発明の実施例によるキーワードネームを利用した位置関連情報提供方法が順に示されている。
使用者が端末機３０で無線インターネットへの接続のためのブラウザーなどを駆動させた後で、ブラウザー上の接続語入力ウィンドウに接続語を入力すれば、入力された接続語は移動通信網２０に提供される（Ｓ１００）。移動通信網２０の制御機２３は、使用者端末機３０が属するセル内の基地局２１から提供される接続語を情報提供システム１０に伝送してデータを要請する（Ｓ１１０）。
【００５０】
情報提供システム１０に移動通信網２０から接続語を含む質疑が伝送されれば、処理サーバー１１の位置情報要請部１１２は、前記接続語がキーワードネームであると判断して、使用者の位置情報によるウェッブページ情報を提供するために、移動通信網２０に使用者の位置情報を要請する（Ｓ１２０）。この時、移動通信網が使用者端末機から提供された接続語がキーワードネームであるか否かを判断するようにしたり、そうでなければ、情報提供システムが接続語がキーワードネームであるか否かを判断して、次の通りにキーワードネームによる位置関連情報を提供することができる。
【００５１】
移動通信網２０の制御機２３は、前述した様々な位置測定方法のうちの一つの方法で使用者端末機の位置、つまり使用者の位置を測定して、該当する位置情報を情報提供システム１０に提供する（Ｓ１３０〜Ｓ１４０）。
情報提供システム１０の位置情報要請部１１２は、移動通信網から使用者の位置情報が提供されれば、使用者が入力した接続語、つまりキーワードネームと使用者の位置情報とをキーワードネームサーバー１２に提供して、当該ウェッブページアドレスを要請する（Ｓ１５０）。
【００５２】
キーワードネームサーバー１２は、使用者の位置情報とキーワードネームとに基づいて、キーワードネームデータベース１３を検索して、キーワードネームと使用者の位置情報とに対応して保存されているウェッブページアドレスを探して、処理サーバー１１のコンテンツ要請部１１３に提供する（Ｓ１６０〜Ｓ１７０）。
【００５３】
これにより、コンテンツ要請部１１３は、キーワードネームサーバー１２から提供されるウェッブページアドレスに該当するコンテンツ提供サーバー５０のウェッブページに接続して、当該コンテンツを持ってくる。例えば、当該コンテンツ提供サーバー５０にウェッブページアドレスに該当するコンテンツを要請し、提供されるコンテンツを受信する（Ｓ１８０）。
【００５４】
次に、コンテンツをコンテンツ変換部１１４に提供して、使用者端末機３０に提供するようにする。コンテンツ変換部１１４は、当該ウェッブページから持ってきたコンテンツを選択的に変換し、移動通信網２０に提供して、使用者端末機３０に伝送されるようにする。
【００５５】
コンテンツ変換部１１４は、前記コンテンツが使用者端末機が処理できる形式でない場合には、当該コンテンツを使用者端末機が処理できる形式に変換した後で移動通信網２０に提供し、前記コンテンツが使用者端末機が処理できる形式である場合には、そのまま移動通信網２０に提供する（Ｓ１９０〜Ｓ２１０）。
【００５６】
図４に、コンテンツの変換過程が示されている。
どの言語で入力されても、コンテンツ提供者側が同じ言語を使用している場合を除いては、次の通りに変換過程を行う。
まず、コンテンツ変換部１１４は、入力を受けたコンテンツの構造を分析し（Ａ）、分析した構造と一般テキストとを分離して保存する（Ｂ）。次に、必要のない内容を削除した後で、再び変換しようとする言語の文法を適用してコンテンツを再構成する（Ｃ）。
【００５７】
このように、本発明の実施例では、ＷＡＰ、ｉ−Ｍｏｄｅ、ＭＥなどの様々な無線インターネットコンテンツ言語を全て受容できるので、例えば、ＷＡＰ用端末機でｉ−Ｍｏｄｅのコンテンツを要求する場合、ｉ−ＭｏｄｅサービスのＣ−ＨＴＭＬからなるコンテンツがＷＡＰのＷＭＬに変換された後で端末機に送られる。ＭＥの場合も同様で、他の言語との翻訳を可能にすることにより、ひとつの言語を支援する端末機で互いに異なる言語のコンテンツのサービスを受けることができる。
【００５８】
一方、コンテンツ変換部１１４は、このように変換されたコンテンツ又は変換されていないコンテンツを移動通信網２０に提供し、移動通信網２０は、当該コンテンツを使用者端末機３０に伝送する（Ｓ２２０〜Ｓ２３０）。
このような本発明の実施例によると、例えば、江南地域を通過する自動車で携帯番号０１１の使用者がｎ−ｔｏｐに接続して情報提供システムに接続した後で“区役所”と入力すれば、自動的に使用者の現在位置に基づいて使用者端末機が江南区役所のホームページに接続される。
【００５９】
したがって、使用者は、自身の位置によって接続しようとするウェッブページのコンテンツを容易に確認することができる。また、インターネットを通じて提供されるコンテンツをＷＡＰ、ｉ−Ｍｏｄｅ、ＭＥなどの互いに異なる言語の無線インターネット環境でも容易に支援することができる。
【００６０】
一方、このように無線インターネットを通じて情報の提供を受けたり電子商取引をする場合には、情報流出防止などの保安性が要求される。
したがって、本発明の実施例では、使用者端末機がＷＡＰを使用する場合に発生する保安の問題を解決するために、ＷＡＰゲートウェイの保安機能を強化したＷＡＰエンタープライズプロキシサーバー（Enterprise  Proxy  Server）を利用する。
【００６１】
エンタープライズプロキシサーバーは、移動通信事業者の領域ではなく、コンテンツ提供者が信頼できる第３の領域にEnd-to-End-to-End保安機能を提供するプロキシサーバーを設置して、データ変換プロセスを行うことができるようにすることにより、現在、移動通信事業者の領域で発生している致命的な保安解除の問題を解決する。つまり、情報提供システムにＷＡＰエンタープライズプロキシサーバーを設置することにより、少なくとも１種以上の言語を支援する位置基盤キーワードネーム検索サービスの使用者と情報提供システムとの間の保安を強化させることができる。
【００６２】
図５に、このような概念に基づいて、本発明の実施例によるキーワードネームを利用した位置関連情報提供システムにおいて、保安を強化した場合のネットワークの構成が図示されている。
図５に示されているように、使用者がサービスの提供を要請すれば、当該要請事項が移動通信網のゲートウェイを経て情報提供システムの処理サーバーに伝送される。情報提供システムの処理サーバーは、この要請が自身の信頼できない領域のゲートウェイを通じて伝送された場合には、エラー（http  ３００）メッセージを伝送して、自身が信頼できるゲートウェイを経由することを指示する。このエラーメッセージは、使用者端末機に伝送され、これにより、使用者端末機は、移動通信網にあるゲートウェイでなく、情報提供システムが信頼できるエンタープライズプロキシサーバーを基本ゲートウェイとみなして、再びサービスを要請する。図５で点線になっている部分は、情報提供システムが信頼できる領域を示す。
【００６３】
したがって、情報提供システムの処理サーバーは、信頼できるエンタープライズプロキシサーバーを通じて伝送された要請を前述のように処理して、使用者が現在位置による適切な情報の提供をうけることができるようにする。
【産業上の利用可能性】
【００６４】
このような本発明の実施例によるキーワードネームを利用した位置関連情報提供システムは、ＷＷＷ（world  wide  web）以外にも、インターネットを通じてサービスされるＥメール、ＦＴＰ（file  transfer  protocol）、テレネット（telnet）などにも適用可能である。
【００６５】
また、前述のように使用者端末機から提供されたキーワードネームに該当するウェッブページ情報を提供する以外にも、現在の使用者の位置による地域情報を別途に提供することもできる。つまり、使用者が“区役所”というキーワードネームを入力した場合で使用者の現在位置が江南区であれば、使用者端末機に江南区役所のホームページ情報を提供すると同時に、地域情報データベースに保存された情報に基づいて、江南区に位置する洞役場、映画館などの別途の地域情報を提供することもできる。
【００６６】
本発明は、本発明の請求範囲から外れない範囲内で様々な変更及び実施が可能である。
【図面の簡単な説明】
【００６７】
【図１ａ】本発明の実施例によるキーワードネームを利用した位置関連情報提供方法の概念を示した図である。
【図１ｂ】本発明の実施例によるキーワードネームを利用した位置関連情報提供方法の概念を示した図である。
【図２】本発明の実施例によるキーワードネームを利用した位置関連情報提供システムの構造を示した図である。
【図３】本発明の実施例によるキーワードネームを利用した位置関連情報提供方法の流れを示したフローチャートである。
【図４】本発明の実施例によるコンテンツの変換過程を示した図である。
【図５】本発明の実施例によるキーワードネームを利用した位置関連情報提供システムにおいて、保安を強化した場合のネットワークの構成を示した図である。
【符号の説明】
【００６８】
１０…情報提供システム  １１…処理サーバー
【図１ａ】
2005502135.tif 000003
【図１ｂ】
2005502135.tif 000004
【図２】
2005502135.tif 000005
【図３】
2005502135.tif 000006
【図４】
2005502135.tif 000007
【図５】
2005502135.tif 000008
【国際公開パンフレット】
2005502135.tif 000009
2005502135.tif 000010
2005502135.tif 000011
2005502135.tif 000012
2005502135.tif 000013
2005502135.tif 000014
2005502135.tif 000015
2005502135.tif 000016
2005502135.tif 000017
2005502135.tif 000018
2005502135.tif 000019
2005502135.tif 000020
2005502135.tif 000021
2005502135.tif 000022
2005502135.tif 000023
2005502135.tif 000024
2005502135.tif 000025
2005502135.tif 000026
2005502135.tif 000027
2005502135.tif 000028
2005502135.tif 000029
2005502135.tif 000030
2005502135.tif 000031
2005502135.tif 000032
2005502135.tif 000033
2005502135.tif 000034
2005502135.tif 000035
2005502135.tif 000036
2005502135.tif 000037
2005502135.tif 000038
2005502135.tif 000039
2005502135.tif 000040
2005502135.tif 000041
2005502135.tif 000042
2005502135.tif 000043
【国際調査報告】
2005502135.tif 000044